(57)【要約】【課題】再生前の録画ファイルの録画状態を予め知らせることができる放送記録装置、放送記録再生装置、放送記録再生方法を提供する。【解決手段】  放送信号を受信し復調して再生信号を出力するチューナ部と、チューナ部の受信状態をモニタして時系列的な録画状態判定信号を出力するモニタ部と、チューナ部から出力される再生信号と、モニタ部が出力する時系列的な録画状態判定信号を記憶領域に記録する記録部をもつ放送記録装置。【選択図】図１
2008011203.tif 000002
【特許請求の範囲】
【請求項１】
放送信号を受信し復調して再生信号を出力するチューナ部と、
前記チューナ部の受信状態をモニタして時系列的な録画状態判定信号を出力するモニタ部と、
前記チューナ部から出力される再生信号と、前記モニタ部が出力する録画状態判定信号を記憶領域に記録する記録部を具備することを特徴とする放送記録装置。
【請求項２】
指示信号を受けると、前記録画状態判定信号に応じて、前記時系列的な録画状態を画面に表示する表示部を更に有することを特徴とする請求項１記載の放送記録装置。
【請求項３】
前記録画状態判定信号は、録画された再生信号の録画時間の先頭から末尾までをテーブル表示して、録画状態を複数段階にグラフィックに識別可能に表示するための信号であることを特徴とする請求項１記載の放送記録装置。
【請求項４】
前記モニタ部は、前記チューナ部の受信信号からＢＡＲ値を検出し所定値と比較することで受信状態を判定して前記時系列的な録画状態判定信号を出力することを特徴とする請求項１記載の放送記録装置。
【請求項５】
前記モニタ部は、前記チューナ部の受信信号からＰＭＴ又はＮＩＴを検出し、少なくとも一方の信号が周期的に受信できるかどうかに基づき受信状態を判定して前記時系列的な録画状態判定信号を出力することを特徴とする請求項１記載の放送記録装置。
【請求項６】
前記モニタ部は、前記チューナ部の受信信号からＴＳパケットのコンティユニティカウンタを検出し、このカウンタ値の連続性に基づき受信状態を判定して前記時系列的な録画状態判定信号を出力することを特徴とする請求項１記載の放送記録装置。
【請求項７】
前記モニタ部は、前記チューナ部の受信信号からＰＥＳのヘッダを検出し、各ヘッダ間隔が７００ｍｓｅｃ以下かどうかに基づき受信状態を判定して前記時系列的な録画状態判定信号を出力することを特徴とする請求項１記載の放送記録装置。
【請求項８】
前記モニタ部は、前記チューナ部の受信信号からＰＣＲのカウンタを検出し、このカウンタ値のインクリメントの誤差程度に基づき受信状態を判定して前記時系列的な録画状態判定信号を出力することを特徴とする請求項１記載の放送記録装置。
【請求項９】
放送信号を受信し復調して再生信号を出力するチューナ部と、
前記チューナ部の受信状態をモニタして時系列的な録画状態判定信号を出力するモニタ部と、
前記チューナ部から出力される再生信号と、前記モニタ部が出力する時系列的な録画状態判定信号を記憶領域に記録する記録部と、
再生指示信号を受けると、前記録画状態判定信号に応じて、録画された再生信号の録画時間の先頭から末尾までの時系列的な録画状態を、複数段階にグラフィックに識別可能にテーブルで画面表示すると共に、前記記録部が記録した再生信号を再生して表示する表示部を具備することを特徴とする放送記録再生装置。
【請求項１０】
前記モニタ部は、前記チューナ部の受信信号からＢＡＲ値を検出し所定値と比較することで受信状態を判定して前記時系列的な録画状態判定信号を出力することを特徴とする請求項９記載の放送記録再生装置。
【請求項１１】
前記モニタ部は、前記チューナ部の受信信号からＰＭＴとＮＩＴを検出し、これらの信号が確実に含まれているかどうかに基づき受信状態を判定して前記時系列的な録画状態判定信号を出力することを特徴とする請求項９記載の放送記録再生装置。
【請求項１２】
前記モニタ部は、前記チューナ部の受信信号からＴＳパケットのコンティユニティカウンタを検出し、このカウンタ値の連続性に基づき受信状態を判定して前記時系列的な録画状態判定信号を出力することを特徴とする請求項９記載の放送記録再生装置。
【請求項１３】
前記モニタ部は、前記チューナ部の受信信号からＰＥＳのヘッダを検出し、各ヘッダの間隔が７００ｍｓｅｃ以下かどうかに基づき受信状態を判定して前記時系列的な録画状態判定信号を出力することを特徴とする請求項９記載の放送記録再生装置。
【請求項１４】
前記モニタ部は、前記チューナ部の受信信号からＰＣＲのカウンタを検出し、このカウンタ値のインクリメントの誤差程度に基づき受信状態を判定して前記時系列的な録画状態判定信号を出力することを特徴とする請求項９記載の放送記録再生装置。
【請求項１５】
放送信号を受信し復調して再生信号を出力し、
前記放送信号の受信状態をモニタして時系列的な録画状態判定信号を出力し、
前記再生信号と前記時系列的な録画状態判定信号を記憶領域に記録し、
前記録画状態判定信号に応じて、録画された再生信号の録画時間の先頭から末尾までの時系列的な録画状態を、複数段階にグラフィックに識別可能にテーブルで画面表示すると共に、前記再生信号を再生することを特徴とする放送記録再生方法。
【請求項１６】
前記放送信号の受信信号からＢＡＲ値を検出し所定値と比較することで受信状態を判定して前記時系列的な録画状態判定信号を出力することを特徴とする請求項１５記載の放送記録再生方法。
【請求項１７】
前記放送信号の受信信号からＰＭＴ又はＮＩＴを検出し、少なくとも一方の信号が周期的に受信できるかどうかに基づき受信状態を判定して前記時系列的な録画状態判定信号を出力することを特徴とする請求項１５記載の放送記録再生方法。
【請求項１８】
前記放送信号の受信信号からＴＳパケットのコンティユニティカウンタを検出し、このカウンタ値の連続性に基づき受信状態を判定して前記時系列的な録画状態判定信号を出力することを特徴とする請求項１５記載の放送記録再生方法。
【請求項１９】
前記放送信号の受信信号からＰＥＳのヘッダを検出し、各ヘッダの間隔が７００ｍｓｅｃ以下かどうかに基づき受信状態を判定して前記時系列的な録画状態判定信号を出力することを特徴とする請求項１５記載の放送記録再生方法。
【請求項２０】
前記放送信号の受信信号からＰＣＲのカウンタを検出し、このカウンタ値のインクリメントの誤差程度に基づき受信状態を判定して前記時系列的な録画状態判定信号を出力することを特徴とする請求項１５記載の放送記録再生方法。
【発明の詳細な説明】
【技術分野】
【０００１】
この発明は、録画状態を伴い放送信号を記録する放送記録装置及び放送記録方法に関する。
【背景技術】
【０００２】
最近、ＴＶ放送等を受信し記録することができるモバイル機器が開発され普及してきている。このようなモバイル機器においては、受信状態が所定レベル以上に悪化すると全く視聴ができなくなり、その期間の録画情報を再生しても何も再生できない。
【０００３】
特許文献１には、移動型デジタル放送受信機であって、録画予約を行なった後に別の地域に移動した場合に、地域情報、識別ＩＤ等を判定することで、録画予約した番組と異なる番組が録画されることを回避する技術が開示されている。
【特許文献１】特開２００６−５００６５公報。
【発明の開示】
【発明が解決しようとする課題】
【０００４】
しかし、特許文献１の従来技術では、録画状態が部分的に悪化した状態で録画されてしまった録画ファイルについて、実際に再生してみるまで、録画状態がどうなのかを知ることができない。
【０００５】
本発明は、再生前の録画ファイルの録画状態を予め知ることができる放送記録装置、放送記録再生装置、放送記録再生方法を提供することを目的とする。
【課題を解決するための手段】
【０００６】
課題を解決するための一実施形態は、放送信号を受信し復調して再生信号を出力するチューナ部と、前記チューナ部の受信状態をモニタして時系列的な録画状態判定信号を出力するモニタ部と、前記チューナ部から出力される再生信号と、前記モニタ部が出力する録画状態判定信号を記憶領域に記録する記録部を具備することを特徴とする放送記録装置である。
【発明の効果】
【０００７】
その録画済の録画ファイルについて、再生前に録画状態を時系列的にテーブル表示等で知らせることができる放送記録装置、放送記録再生装置、放送記録再生方法を提供する。
【発明を実施するための最良の形態】
【０００８】
以下、この発明の実施の形態について図面を参照して詳細に説明する。  
図１は、本発明の一実施形態に係る録画再生装置の構成の一例を示すブロック図である。図２は、本発明の一実施形態に係る録画再生装置の外観の一例を示す外観図である。図３は、本発明の一実施形態に係る録画再生装置の録画状態を表示するテーブルの一例を示す説明図である。図４は、本発明の一実施形態に係る録画再生装置の録画状態を表示するテーブルを表示する画面の一例を示す説明図である。図５は、本発明の一実施形態に係る録画再生装置の録画状態を示すＭＥＰＧ２ＴＳ形式のファイルの一例を示す説明図である。図６は、本発明の一実施形態に係る録画再生装置の録画状態を示す録画状態ファイルの一例を示す説明図である。図７は、本発明の一実施形態に係る録画再生装置の録画状態モニタ処理の一例を示す説明図である。図８は、本発明の一実施形態に係る録画再生装置の録画状態モニタ処理のＰＭＴ，ＮＩＴの検出処理の一例を示す説明図である。
【０００９】
＜本発明の一実施形態に係る放送記録再生装置＞
（構成）
本発明の一実施形態に係る放送記録再生装置の一例は、ＴＶ放送信号等の記録機能と再生機能等をあわせもったモバイル機器であることが好適であるが、これに限定されるものではない。以下は、このＴＶ放送信号等の記録機能と再生機能等をもつモバイル機器の場合を例として、図面を用いて詳細に説明する。
【００１０】
本発明の一実施形態に係る放送記録再生装置であるモバイル機器１０は、図１に示すように、デジタルテレビ信号やアナログテレビ信号等を受信する機能をもつチューナ部１１と、例えば、ＭＰＥＧエンコーダ、デコーダ機能等をもつＡＶ記録再生部１２と、映像処理部、オーディオ処理部等をもつＡＶ出力部１３と、液晶画面等のディスプレイ部１４とを有している。
【００１１】
更に、本発明の一実施形態に係る放送記録再生装置であるモバイル機器１０は、図１に示すように、後述する録画状態のモニタ機能をもつ受信モニタ部１５と、全体の動作を司る制御部１６と、録画ファイル等を格納するための記録領域であるＨＤＤ１７と、着脱可能なメモリカード２０等のインタフェース部であるリムーバブルメディアＩ／Ｆ部１８と、各種操作スイッチやリモコンインタフェース機能をもっている操作部１９と、録画予約を登録しこれに応じて予約録画処理等を行なう予約録画部２１を有している。
【００１２】
（動作）
このような構成をもつ放送記録再生装置であるモバイル機器１０は、操作部１９等からの操作指示に応じて、チューナ部１１がデジタル放送やアナログ放送であるテレビジョン放送等を受信し、この受信信号が記録再生部１２に供給されて、ＨＤＤ１７等に録画される。又、単に、受信信号がＡＶ出力部１３に供給され、ＡＶ出力部１３からの画像出力がディスプレイ１４に供給されて、映像がディスプレイ１４に表示され、ＡＶ出力部１３から供給されるオーディオ信号が図示しないスピーカ部等に供給されてテレビ放送を視聴することができる。
【００１３】
同様に、放送記録再生装置であるモバイル機器１０は、操作部１９等からの操作指示に応じて、ＨＤＤ１７等に録画されていた録画ファイルが、ＡＶ記録・再生部１２等でデコードされ、ＡＶ出力部１３を介し、録画ファイルの映像及び音声がディスプレイ１４に表示されスピーカ部等で再生されて、録画ファイルを視聴することができる。
【００１４】
（モニタ機能）
このような放送記録再生装置であるモバイル機器１０においては、図４に示すように、録画中の録画ファイルの録画状態を判定し記録しこれを表示してユーザに知らせることができるモニタ機能を有している。
【００１５】
予約録画により予約録画処理を行なった場合を例にとって、図７及び図８のフローチャートを用いて、詳細にこの機能を説明する。しかし、必ずしも予約録画処理によって録画した場合に限らず、マニュアルで録画した場合でも同様に、この実施形態に係るモニタ機能を実現することができる。又、以下の説明では、表示機能をもったモバイル機器として、機能を説明しているが、録画機能のみをもった機器や、録画機能と再生機能のみをもち、表示部を持たない機器についても、以下の説明と同等の趣旨で同等の機能を実現することができる。
【００１６】
初めに、図７のフローチャートに示すように、図１の予約録画部２１で予め与えられた予約情報に応じた予約時刻となると（ステップＳ１１）、制御部１６及び予約録画部２１の働きにより、チューナ部１１が予約情報に応じたチャンネルを選局し、放送信号を復調して音声及び映像信号をＡＶ記録再生部１２等に供給する（ステップＳ１２）。そして、例えば、ＡＶ記録再生部１２によりエンコードされた映像音声信号が例えばＨＤＤ１７へ供給されることで、録画処理を開始する（ステップＳ１２）。
【００１７】
このとき、制御部１６及び受信モニタ部１５の働きにより、以下のように、受信状態及び録画状態を検出するべく、受信信号から多くの受信パラメータを取得する。受信パラメータは以下に限るものではないが、主な例として、以下の５つの指標を用いる場合を説明する。
【００１８】
初めに、１つ目の指標として、チューナ部１１からの受信信号から受信感度ＢＡＲ値を検出する。この受信感度ＢＡＲ値は、単に受信信号の大きさを示すものであり、このＢＡＲ値を予め用意された一定のしきい値との大小関係を比較して、受信状態に基づく録画状態を判定する（ステップＳ１４）。
【００１９】
次に２つ目の指標として、受信信号に含まれるＰＭＴ（Program Map Table）とＮＩＴ（Network Information Table）が受信できているかどうかに基づいて、受信モニタ部１５の働きにより、受信状態及び録画状態を判定する（ステップＳ１６）。ＰＭＴ及びＮＩＴは、周期的に送られてくるものであるが、これが周期的に確実に受信できているかどうかを判定するものである。
【００２０】
ここで、具体的なＰＭＴ及びＮＩＴの受信状態のモニタ処理を図８が示すサブルーチンにより説明する。即ち、図８に示すフローチャートにおいて、受信モニタ部１５は、ＭＰＥＧトランスポートストリームからＰＭＴ，ＮＩＴをフィルタリングを行ない（ステップＳ３１）、ＰＭＴ，ＮＩＴがあるかどうかを判定する（ステップＳ３２）。ＰＭＴ，ＮＩＴがなしとなれば、ＰＭＴ，ＮＩＴがなしと記憶領域に記録する（ステップＳ３３）。同様に、ＰＭＴ，ＮＩＴがありとなれば、ＰＭＴ，ＮＩＴがありと記憶領域に記録する（ステップＳ３４）。このような動作を所定時間毎にタイムアウトするまで行なう（ステップＳ３５）。
【００２１】
これにより、所定時間に正常に存在するべきＰＭＴ、ＮＩＴが、実際に存在していたかどうかの記録を残すことができ、この記録にもとづき、受信状態に基づく録画状態を判定する。
【００２２】
次に３つ目の指標として、ＴＳパケットにつき、コンティユニティカウンタの連続性を判定する（ステップＳ１９）。このための手順として、オーディオ・ビデオのＰＭＴからＰＩＤを取得する（ステップＳ１７）。そして、このＰＩＤを指定してフィルタリングする（ステップＳ１８）、ＴＳパケットにつき、コンティユニティカウンタの連続性を判定するものである。即ち、ＴＳパケットが正常に受信できていれば、このコンティユニティカウンタは、安定した連続性を示すものであり、このカウンタ値が一定値の範囲内で安定して連続性を保っているかどうかにより判定を行なうものである。
【００２３】
次に４つ目の指標として、ＰＥＳ（パケッタイズド・エレメンタリ・ストリーム）を検出し、ＰＥＳのヘッダを解析し、ヘッダ間が７００ｍｓｅｃ以下であるかを確認する（ステップＳ２０）。即ち、受信状態が不安定であるとき、ＰＥＳのヘッダ間は、例えば、７００ｍｓｅｃ以下となることが多いからである。
【００２４】
即ち、受信状態が不安定であるときにはＴＳパケットの取りこぼしを生じ、結果として検出されるＰＥＳのヘッダ間が、例えば、７００ｍｓｅｃより長くなることが多い。従って、ヘッダ間が７００ｍｓｅｃ以下であるかを確認することにより、ＴＳパケットが正常に受信できていることを確認する。
【００２５】
次に５つ目の指標として、ＰＣＲ（プログラム・クロック・リファレンス）をフィルタリングし検出して、０．２ｓｅｃ以内であるかを判定する。又、ＳＴＣカウンタを用いて、インクリメントの誤差程度を判定する。ＰＣＲは、放送局側が自分がどういうタイミングで信号を送っているかを示す同期のための基準クロックであり、これが一定間隔で受信できているか、更に、ＳＴＣカウンタと一致して動作が行なわれているか、ＰＣＲのインクリメント状態を確認することが好適である。
【００２６】
・総合判定
これらの例えば５つの指標に基づき、受信モニタ部１５及び制御部１６が総合判定を行ない、チューナ部１１の受信状態及びこの際の録画状態が判定される。しかし、必ずしもこれらの５つの指標に基づく総合判定で受信状態及び録画状態を判定する必要はなく、これらの指標の一つ又は一部を用いるものでもよく、又、他の指標を用いることも好適である。
【００２７】
これらの判定に基づき、録画状態を一例として３段階に評価して、録画状態ファイルを生成する（ステップＳ２２）。即ち、図３に示すように、録画状態が良好な個所Ｚ１、録画状態が幾分不良な個所Ｚ２、録画状態が不良な個所Ｚ３に３段階に評価して、録画状態ファイルを生成することが好適である。
【００２８】
この録画状態ファイルは、例えば、図５に示すように、複数の個所Ｚ１乃至Ｚ３に対応した各パケット４１乃至４５を有するファイルＭＰＥＧ２ＴＳ形式のファイルであることが好適である。又、この録画状態ファイル５０は、図６のように、『開始位置情報５１』、『長さの情報５２』、『録画状態５３』等の情報を有していることが好適である。
【００２９】
このような形式をもった録画状態ファイル５０等を、録画処理を行いながら受信モニタ部１５及び制御部１６が記憶領域に格納するものである。
【００３０】
又、再生段階において、操作部１９等から再生処理の操作指示を受けて、又、単に録画状態のモニタ表示の操作指示を受けることで、図４に示すように、操作画面又はディスプレイ１４上に表示される再生画面中に録画状態ファイル５０に応じた状態表示テーブル３２を表示する。
【００３１】
この状態表示テーブル３２は、例えば再生画面３０中に、録画された再生信号の録画時間の先頭から末尾までをテーブル表示するもので、録画状態を例えば３段階にグラフィックに識別可能に表示する。又、現在、表示している位置を再生位置カーソル３１で示すことが好適である。
【００３２】
又、このとき、受信モニタ部１５及び制御部１６の働きにより、状態表示テーブル３２の表示区分に応じて、例えば、図示しない最盛時のスキップボタンを押下することで、録画状態が幾分不良な個所Ｚ２をスキップしたり、録画状態が不良な個所Ｚ３をスキップすることが好適である。
【００３３】
以上のようにこの実施形態によって、ユーザは、録画済の録画ファイルを全て再生してから録画状態を知るのではなく、再生し始める段階で録画状態を知ることができる。従って、録画状態に応じた効率的な再生処理を行うことができる。
【００３４】
＜本発明の一実施形態に係る録画状態モニタ処理を行なう携帯電話装置＞
又、上述した録画状態モニタ処理は、上記したモバイル機器だけで実現するものではなく、例えば、いわゆるテレビジョン再生機能を搭載した携帯電話装置（移動型通信装置）Ｍにおいても同等に実現するものである。以下、テレビジョン再生機能を搭載した携帯電話装置で使用される場合の例を図面を用いて詳細に説明する。
【００３５】
図９は、本発明の一実施形態に係る録画状態モニタ処理を行なう携帯電話装置の外観の一例を示す外観図である。図１０は、本発明の一実施形態に係る録画状態モニタ処理を行なう携帯電話装置の構成の一例を示すブロック図である。
【００３６】
（構成及び動作）
本発明の一実施形態である携帯電話装置を図９及び図１０を用いて説明する。携帯電話装置（移動型通信装置）Ｍは、通信部２００と、アンテナ２０１と、デュプレクサ２０２と、ＲＦ受信利得可変増幅器２０３と、ＲＦ帯域制限フィルタ２０４と、周波数変換器２０５と、ＩＦ帯域制限フィルタ２０６と、ＩＦ受信利得可変増幅器２０７と、変調・復調部２０８と、ＩＦ送信利得可変増幅器２１１と、周波数変換器２１２と、ＲＦ帯域制限フィルタ２１３と、ＲＦ送信利得可変増幅器２１４と、電力増幅器２１５と、アイソレータ２１６と、ボコーダ２２３と、スピーカ２２４とを有している。
【００３７】
又、更に、移動型通信装置Ｍは、全体の動作を制御する制御部２３１と、チューナ部・上述した受信モニタ部２３２と、複数のスイッチ等を有している操作部２３３と、操作情報や写真画像等を表示する表示部２３４と、動画コンテンツや番組予約情報等を記憶する記憶部２３５と、ＭＰＥＧデコーダ・音声映像処理部２３６と、メール処理部２３７とが制御部２３１に接続されている。又、ＭＰＥＧデコーダ・音声映像処理部２３６の出力は、それぞれ表示部２３４とスピーカ２２４とに接続されている。
【００３８】
又、変調・復調部２０８は、例えば直交復調部２８１と、Ａ／Ｄ変換部２８２と、情報信号復調部２８３と、復号化部２９２とからなり、更に、ボコーダ２２３からの信号を暗号化する暗号化部２８９と、情報信号変調部２８４と、Ｄ／Ａ変換部２８５と、直交変調部２８６とにより構成される。この構成において、直交復調部２８１で直交復調された信号はＡ／Ｄ変換部２８２でＡ／Ｄ変換され、信号復調部２８３で情報信号復調されて、復号化部２９２により復号されて出力される。
【００３９】
この移動型通信装置Ｍはこのような構成において、受信処理について説明すると、基地局から送信されるフォワードリンク信号はアンテナ２０１で受信、デュプレクサ２０２で受信機側回路へ供給され、ＲＦ受信利得可変増幅器２０３で増幅あるいは減衰され、ＲＦ帯域制限フィルタ２０４で不要成分をフィルタリングされ、周波数変換器２０５でＲＦ帯からＩＦ帯へ周波数変換され、ＩＦ帯域制限フィルタ２０６で不要成分をフィルタリングされ、ＩＦ受信利得可変増幅器２０７で増幅あるいは減衰され、変調・復調部２０８へ入力する。
【００４０】
変調・復調部２０８は、例えば直交復調部２８１と、Ａ／Ｄ変換部２８２と、情報信号復調部２８３と、情報信号変調部２８４と、Ｄ／Ａ変換部２８５と、直交変調部２８６で構成される。
【００４１】
ここで、暗号化部２８９と復号化部２９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部２９２との鍵情報が共通であればよい。
【００４２】
この構成を有する移動型通信装置Ｍの受信処理について以下に説明すると、表示部２３４の操作情報の表示に応じて、ユーザの操作部２３３から与えられる操作情報に応じ、制御部２３１の動作制御に従って、以下のような動作が行われる。すなわち、直交復調部２８１で直交復調された信号は、Ａ／Ｄ変換部２８２でＡ／Ｄ変換され信号復調部２８３で情報信号復調され、更に復号化部２９２で復号されて音声としてスピーカ２２４に出力される。
【００４３】
又、更にこの移動型通信装置Ｍの送信処理について以下に説明すると、同様に、表示部２３４の操作情報の表示に応じて、ユーザの操作部２３３から与えられる操作情報に応じ、制御部２３１の動作制御に従って、以下のような動作が行われる。すなわち、移動局から送信されるリバースリンク信号はボコーダ２２３により与えられ、これを暗号化部２８９にて暗号化する。この暗号化された暗号化信号は、情報信号変調部２８４で変調されて出力されＤ／Ａ変換部２８５でＤ／Ａ変換、直交変調部２８６で直交変調され、ＩＦ送信利得可変増幅器２１１で増幅あるいは減衰され、周波数変換器２１２でＩＦ帯からＲＦ帯へ周波数変換され、ＲＦ帯域制限フィルタ２１３で不要成分をフィルタリングして、ＲＦ送信利得可変増幅器２１４で増幅あるいは減衰され、電力増幅器２１５で増幅され、アイソレータ２１６を介してデュプレクサ２０２でアンテナ２０１ヘ供給され、空間へ送信されるものである。
【００４４】
・モニタ機能
このようないわゆる携帯電話装置においても、チューナ部・受信モニタ部２３２によるチューナ機能を搭載することで、操作部２３３からの操作信号に応じて、所望の放送番組を選局し、この映像及び音声を視聴することができる。
【００４５】
更に、記憶部２３５を有していることにより、単にチューナ部２３２によりテレビジョン放送を視聴するだけでなく、放送信号に応じた映像音声信号を記憶部２３５に録画することが可能となる。
【００４６】
そこで、これと同時に先に説明した受信状態に応じた録画状態を記録し表示する機能が受信モニタ部２３２により与えられる。これにより、ユーザは、録画済の録画ファイルを全て再生してから録画状態を知るのではなく、再生し始める段階で録画状態を知ることができる。従って、録画状態に応じた効率的な再生処理を行うことができる。
【００４７】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４８】
【図１】本発明の一実施形態に係る録画再生装置の構成の一例を示すブロック図。
【図２】本発明の一実施形態に係る録画再生装置の外観の一例を示す外観図。
【図３】本発明の一実施形態に係る録画再生装置の録画状態を表示するテーブルの一例を示す説明図。
【図４】本発明の一実施形態に係る録画再生装置の録画状態を表示するテーブルを表示する画面の一例を示す説明図。
【図５】本発明の一実施形態に係る録画再生装置の録画状態を示すＭＥＰＧ２ＴＳ形式のファイルの一例を示す説明図。
【図６】本発明の一実施形態に係る録画再生装置の録画状態を示す録画状態ファイルの一例を示す説明図。
【図７】本発明の一実施形態に係る録画再生装置の録画状態モニタ処理の一例を示す説明図。
【図８】本発明の一実施形態に係る録画再生装置の録画状態モニタ処理のＰＭＴ，ＮＩＴの検出処理の一例を示す説明図。
【図９】本発明の一実施形態に係る録画状態モニタ処理を行なう携帯電話装置の外観の一例を示す外観図。
【図１０】本発明の一実施形態に係る録画状態モニタ処理を行なう携帯電話装置の構成の一例を示すブロック図。
【符号の説明】
【００４９】
１１…チューナ部、１２…ＡＶ記録再生部、１３…ＡＶ出力部、１４…ディスプレイ部、１５…受信モニタ部、１６…制御部、１７…ＨＤＤ、１８…リムーバブルメディアＩ／Ｆ部、１９…ユーザＩ／Ｆ部、２０…メモリカード。
【図１】
2008011203.tif 000003
【図２】
2008011203.tif 000004
【図３】
2008011203.tif 000005
【図４】
2008011203.tif 000006
【図５】
2008011203.tif 000007
【図６】
2008011203.tif 000008
【図７】
2008011203.tif 000009
【図８】
2008011203.tif 000010
【図９】
2008011203.tif 000011
【図１０】
2008011203.tif 000012